(57)【要約】      （修正有）【課題】寝たきりにならず、自分で用便や食事やテレビ観賞等が出来主として在宅で使用出来る簡便な寝たきり防止用健康補助器具を提供する。【解決手段】健康補助器具１００であって、器具は後方が開口する略コ字状や半円状で分解可能な上枠１と、上枠と併設されて地面側に配設され略四角状で分解可能な下枠２と、上枠と下枠との中間部を互いに連結する支持棒６と、上枠の後端に分解可能に上基端部を連結し、前又は横方向に向かって略Ｌ字型に垂下される尻保持部と、下枠の両側面に被着され転倒防止用金具４として使用され下面が地面に当接するキャスタ５とから構成され、使用用途に応じて夫々分解可能に形成されることを特徴とする。【選択図】図１
0003195262.tif 000002
【実用新案登録請求の範囲】
【請求項１】
任意の時間に自由歩行や食事や新聞等の読取やテレビ観賞も出来、自分で用便も出来、シャワーで身体を洗うこと等が可能であって結果として寝たきりにならない健康補助器具であって、該器具は後方が開口する略コ字状や半円状で分解可能な上枠と、上枠と併設されて地面側に配設され略四角状で分解可能な下枠と、前記上枠と下枠の中間部を互いに連結する支え棒と、前記上枠の後端に分解可能に上基端部を連結し、前記又は横方向に向かって略Ｌ字型に垂下される尻保持部と、前記下枠の両側面に被着され下面に地面に当接するキャスタを配置する倒産防止用金具とから構成され、用途に応じて夫々分解可能に形成されることを特徴とする寝たきり防止用健康補助器具。
【請求項２】
前記下枠の前方側又は後方側には下端が地面側に接すべく形成される段付き部が形成されることを特徴とする請求項１に記載の寝たきり防止用健康補助器具。
【請求項３】
前記支え棒は長さ調整可能に形成されるものからなることを特徴とする請求項２に記載の寝たきり防止用健康補助器具。
【請求項４】
前記尻保持枠に尻支持板を取付け、該尻支持板に便器の穴に対応する孔を形成し、用便用の器具とすることを特徴とする請求項１に記載の寝たきり防止用健康補助器具。
【請求項５】
不要な枠体等を取り外し、前記尻保持枠に孔なし板を設けることにより立ち上り又は座ってシャワーを浴びることの可能な器具とすることを特徴とする請求項１に記載の寝たきり防止用健康補助器具。
【請求項６】
不要な枠体を取外し、前記尻保持枠の下端に形成されるヒンジに角度調整用具を設けることにより昼寝やリラックス体勢を保持させることの出来る器具とすることを特徴とする請求項１に記載の寝たきり防止用健康補助器具。
【考案の詳細な説明】
【技術分野】
【０００１】  本考案は、主として在宅で使用するものであり、適当な歩行が自由に可能で寝たきりにならず、食事も新聞もテレビ観賞も出来、用便も自分で出来シャワーを自分で浴びることも出来る寝たきり防止用健康補助器具に関する。
【背景技術】
【０００２】  年を重ねると足，腰が弱くなり、歩行が十分に出来なくなる不具合が発生する。また、介護福祉の専門家のお話によると在宅で寝たきりになると適当な器具がなく、歩行が段々出来なくなる場合が多いとのことです。そのためには取り扱いが簡単で在宅でも簡単に使用出来、安価に購入出来、安全性が高く、狭隘の場所に保管出来、使用時には簡単に使用出来る器具が必要である。
また、歩行が不自由の人にとっては用便やシャワーを浴びるには他人の助けが必要とする場合も多く極めて不便である。また、養護老人ホームでは４人部屋が主体であり、食事も排泄もベッドの上ですることが主に行われ、基本的に人間の尊厳を保てない問題点がある。
更に、大きな問題として公営の特養老人ホームでは入所を申し込んでも数百人が待っている状態で入所が出来ない問題点がある。また、特養老人ホームの入居待ちが５２万人もいるとの新聞記事がありました。
このため色々の健康器具が開発されているが、簡便で使用し易く、用便や昼寝等やリラックスやシャワーを自分で浴びるような器具は見当らない。
一方、これからの日本では老人用の医療費が年々約一兆円ほど増加し将来は国民医療費が４０兆円以上にもなる恐ろしい数字が挙げられている。そのためには寝たきりや歩行不自由な人々が増加することを早急に減少させることが必要であり、そのために便利な、かつ安価な用具の開発が大きく期待されている。なお、欧米諸国では「寝たきりゼロ」であり、国によっては寝たきり防止用の補助器具が発達していて無償で貸与して「寝たきりゼロ」を実現しているようです。「寝たきり」は日本だけのようである。
寝たきりゼロの補助器具があれば介護する側も介護される側も楽であり、楽しい日常生活を続けることが出来る。
【先行技術文献】
【特許文献】
【０００３】
【特許文献１】特開２００７−２０２８８０号（図１）
【考案の概要】
【考案が解決しようとする課題】
【０００４】  「特許文献１」の「特開２００７−２０２８８０号」の「歩行器」は本考案と全体として似ている構造のものではあるが、用便補助具の如きものを備えているものでなく、また、本考案のような用便やシャワー等の補助のための用具を備えることが難しい構造のものからなる。【０００５】  本考案は、以上の問題点を解決するために考案されたものであり、歩行訓練具としても簡便に使用出来ると共に健康保持が出来、用便やその他の色々な機能を有する簡便で安価な構造からなる寝たきり防止用健康補助器具を提供することを目的とする。
【課題を解決するための手段】
【０００６】  本考案は、以上の目的を達成するために請求項１の考案は、任意の時間に自由歩行や食事や新聞等の読取やテレビ観賞も出来、自分で用便も出来、シャワーで身体を洗うこと等が可能であって結果として寝たきりにならない健康補助器具であって、該器具は後方が開口する略コ字状や半円状で分解可能な上枠と、上枠と併設されて地面側に配設され略四角状で分解可能な下枠と、前記上枠と下枠の中間部を互いに連結する支え棒と、前記上枠の後端に分解可能に上基端部を連結し、前記又は横方向に向かって略Ｌ字型に垂下される尻保持部と、前記下枠の両側面に被着され下面に地面に当接するキャスタを配置する倒産防止用金具とから構成され、用途に応じて夫々分解可能に形成されることを特徴とする。【０００７】  また、請求項２の考案は、前記下枠の前方側又は後方側には下端が地面側に接すべく形成される段付き部が形成されることを特徴とする。【０００８】  また、請求項３の考案は、前記支え棒は長さ調整可能に形成されるものからなることを特徴とする。【０００９】  また、請求項４の考案は、不要な枠体を取外し、前記尻保持枠の下端に形成されるヒンジに角度調整用具を設けることにより昼寝やリラックス体勢を保持させることの出来る器具とすることを特徴とする。【００１０】  また、請求項５の考案は、前記尻保持枠に尻支持板を取付け、該尻支持板に便器の穴に対応する孔を形成し、用便用の器具とすることを特徴とする。【００１１】  また、請求項６の考案は、不要の枠体等を取り外し、前記尻保持枠に孔なし板を設けることにより立ち上り又は座ってシャワーを浴びることの可能な器具とすることを特徴とする。
【考案の効果】
【００１２】  本考案の請求項１乃至６の寝たきり防止用健康補助器具によれば、上枠，下枠、支持棒、尻保持枠、倒産防止用金具等をそのまま使用したり、これ等を分解し、尻保持枠や角度調整用具や孔なし板等を設けることにより、寝たきりにならない色々の動作が出来ると共に、自分だけで用便やシャワーや昼寝等が容易に出来る効果を上げることが出来、かつ在宅にて容易に購入出来、簡便に使用出来る効果を上げることが出来る。
【図面の簡単な説明】
【００１３】
【図１】本考案の基本的構造を示す斜視図（ａ）及び支持棒と倒産防止用器の詳細構造を示す斜視図（ｂ）と（ｃ）。
【図２】本考案を歩行用器とした場合の使用状態を示す斜視図。
【図３】本考案を用便用器具としての使用状態を示す斜視図。
【図４】本考案の用便時の使用状態を示す側面図。
【図５】本考案をシャワー用の器具とした場合の使用状態を示す斜視図。
【図６】本考案を昼寝やリラックス機能用の器具とした場合の使用状態を示す斜視図。
【考案を実施するための形態】
【００１４】  以下、本考案の寝たきり防止用健康補助器具の実施の形態を図面を参照して詳述する。
【実施例】
【００１５】  図１は本考案の寝たきり防止用健康補助器具１００の基本的構造を示すものである。図において○印は分解可能の連結構造（ジョイント）の略号であり、◎は角度変化の可能なヒンジの略号である。
上枠１は本実施例では後方が開口しているコ字状に組み付けられた枠体からなる。【００１６】  下枠２は本実施例では上枠と併設し、地面側に近接する略四角状に組み付けられた枠体からなる。
この下枠２の正面には段付状の段付き部３があり、地面に接している。
また、下枠２の側面には図１の（ｃ）に示す倒産防止用金具４が被着されている。この倒産防止用金具４を安定支持するためのものであり、地面に接するキャスタ５が設けられている。【００１７】  図１（ｂ）に示す支持棒６は上端を上枠１に連結し下端を下枠２に連結する支持体からなり、上枠１側に摺動体６ａと下枠２側には摺動体６ａが摺動可能に支持されるガイド体６ｂとからなる。使用者の身長に対応するためのものであると共に上枠１を安定的に保持するためのものである。また、図示のように摺動体６ａをある位置に固持するための止め具６ｃが設けられている。【００１８】  尻保持枠７は略Ｌ字型の部材からなり、その上基端部を上枠１に連結し前方又は側方に向かってＬ字型に張り出す部材からなる。
寝たきり防止用健康補助器具１００の基本的構造は前記のものからなるがこれ等の各部材は互いに分離可能に連結されると共に図示されていない他の部材を保持して各種の用途に対応出来る構造体からなる。【００１９】  図２は寝たきり防止用健康補助器具１００を歩行用器としたものである。図１における尻保持枠７を取り外したものからなる。人体８は図示の様な形で寝たきり防止用健康補助器具１００を使用し、任意の歩行をすることが出来る。
段付き部３や倒産防止用金具４により寝たきり防止用健康補助器具１００は安定的に保持されるものとなり、キャスタ５等により安定した歩行が可能である。この歩行により寝たきりにならない効果を上げることが出来る。【００２０】  図３及び図４は寝たきり防止用健康補助器具１００を便器１１用とした場合を示す。なお、前記では上枠１と下枠２の大きさを記載しなかったが、本実施例ではこれ等は通常の家の便所内に出入可能の寸法のものからなる。
図示のように尻保持枠７，７間に尻保持板９を配置したものである。尻保持板９は真中に孔１０を開口した平板のものであり、この孔１０は図示のように便器の穴１１ａと合致する位置に形成されている。
以上の構造により尻保持板９に人体８の尻部８ａを乗せることにより用便を自分自身で行うことが出来る。なお、この場合上枠１の前方の枠体は不要であり取り外しされている。【００２１】  図５はシャワーを浴びるために形成された寝たきり防止用健康補助器具１００を示す。不要の部材を取り除き尻保持枠７の部分に孔なし板１３を配設したものからなり、この状態で自分でシャワーを行うことが可能になる。【００２２】  図６は寝たきり防止用健康補助器具１００を昼寝用やリラックス用に使用出来るようにしたものである。
尻保持枠７を利用し、斜めに傾斜した保持板１２を使用したものからなる。なお、尻保持枠７はヒンジにより保持されており保持板１２の傾斜は自由に変化することが出来る。【００２３】  以上のように、寝たきり防止用健康補助器具１００はその部分を取り外したり他の部材を追加することによって色々の用途に変化させることが出来る。なお、寝たきり防止用健康補助器具１００は以上の内容のものに限定するものではなく、その他の色々の工夫により他の用途に対しても適用可能である。【００２４】  本考案の寝たきり防止用健康補助器具１００は以上の内容のものからなるが、これに限定するものではなく、同一技術的範疇のものが適用されることは勿論である。
【産業上の利用可能性】
【００２５】  本考案の寝たきり防止用健康補助器具１００は前記のように色々の用途があり、その利用範囲は極めて広く、主として在宅で使用されるが公共的の場所においても勿論適用可能であり、その利用範囲は極めて広く、この利用により寝たきりになる人の大巾の低減が出来る。
【符号の説明】
【００２６】１      上枠
２      下枠
３      段付き部
４      倒産防止用金具
５      キャスタ
６      支持棒
６ａ    摺動体
６ｂ    ガイド体
６ｃ    止め具
７      尻保持枠
８      人体
８ａ    尻部
９      尻保持板
１０    孔
１１    便器
１１ａ  穴
１２    保持板
１３    孔なし板
１００  寝たきり防止用健康補助器具
【図１】
0003195262.tif 000003
【図２】
0003195262.tif 000004
【図３】
0003195262.tif 000005
【図４】
0003195262.tif 000006
【図５】
0003195262.tif 000007
【図６】
0003195262.tif 000008
【手続補正書】
【提出日】平成26年7月30日(2014.7.30)
【手続補正１】
【補正対象書類名】実用新案登録請求の範囲
【補正対象項目名】請求項１
【補正方法】変更
【補正の内容】
【請求項１】
任意の時間に自由歩行や食事や新聞等の読取やテレビ観賞も出来、自分で用便も出来、シャワーで身体を洗うこと等が可能であって結果として寝たきりにならない健康補助器具であって、該器具は後方が開口する略コ字状や半円状で分解可能な上枠と、該上枠と併設されて地面側に配設され略四角状で分解可能な下枠と、前記上枠と前記下枠との中間部を互いに連結する支え棒と、前記上枠の後端に分解可能に上基端部を連結し、前又は横方向に向かって略Ｌ字型に垂下される尻保持部と、前記下枠の両側面に被着され倒産防止用金具として使用され下面が地面に当接するキャスタとから構成され、使用用途に応じて夫々分解可能に形成されることを特徴とする寝たきり防止用健康補助器具。
【手続補正２】
【補正対象書類名】実用新案登録請求の範囲
【補正対象項目名】請求項３
【補正方法】変更
【補正の内容】
【請求項３】
前記支え棒は、前記下枠に下端部を固定して立設するガイド体と、前記上枠に上端部を固定し前記ガイド体に摺動可能に保持される摺動体と、該摺動体を前記ガイド体に固定するための止め具とからなることを特徴とする請求項１に記載する寝たきり防止用健康補助器具。
【手続補正３】
【補正対象書類名】実用新案登録請求の範囲
【補正対象項目名】請求項５
【補正方法】変更
【補正の内容】
【請求項５】
不要な枠体を取り出し、前記尻保持体に孔なし板を設けることにより立ち上り又は座ってシャワーを浴びることの可能な器具とすることを特徴とする請求項１に記載の寝たきり防止用健康補助器具。
【手続補正４】
【補正対象書類名】明細書
【補正対象項目名】０００６
【補正方法】変更
【補正の内容】
【０００６】  本考案は、以上の目的を達成するため請求項１の考案は、任意の時間に自由歩行や食事や新聞等の読取やテレビ観賞も出来、自分で用便も出来、シャワーで身体を洗うこと等が可能であって結果として寝たきりにならない健康補助器具であって、該器具は後方が開口する略コ字状や半円状で分解可能な上枠と、該上枠と併設されて地面側に配設され略四角状で分解可能な下枠と、前記上枠と前記下枠との中間部を互いに連結する支え棒と、前記上枠の後端に分解可能に上基端部を連結し、前又は横方向に向かって略Ｌ字型に垂下される尻保持部と、前記下枠の両側面に被着され倒産防止用金具として使用され下面が地面に当接するキャスタとから構成され、使用用途に応じて夫々分解可能に形成されることを特徴とする。
【手続補正５】
【補正対象書類名】明細書
【補正対象項目名】０００８
【補正方法】変更
【補正の内容】
【０００８】  また、請求項３の考案は、前記支え棒は、前記下枠に下端部を固定して立設するガイド体と、前記上枠に上端部を固定し前記ガイド体に摺動可能に保持される摺動体と、該摺動体を前記ガイド体に固定するための止め具とからなることを特徴とする。
【手続補正６】
【補正対象書類名】明細書
【補正対象項目名】００１０
【補正方法】変更
【補正の内容】
【００１０】  また、請求項５の考案は、不要な枠体を取り出し、前記尻保持体に孔なし板を設けることにより立ち上り又は座ってシャワーを浴びることの可能な器具とすることを特徴とする。
【手続補正書】
【提出日】平成26年10月17日(2014.10.17)
【手続補正１】
【補正対象書類名】実用新案登録請求の範囲
【補正対象項目名】請求項１
【補正方法】変更
【補正の内容】
【請求項１】
任意の時間に自由歩行や食事や新聞等の読取やテレビ観賞も出来、自分で用便も出来、シャワーで身体を洗うこと等が可能であって結果として寝たきりにならない健康補助器具であって、該器具は後方が開口する略コ字状や半円状で分解可能な上枠と、該上枠と併設されて地面側に配設され略四角状で分解可能な下枠と、前記上枠と前記下枠との中間部を互いに連結する支え棒と、前記上枠の後端に分解可能に上基端部を連結し、前又は横方向に向かって略Ｌ字型に垂下される尻保持部と、前記下枠の両側面に被着され転倒防止用金具として使用され下面が地面に当接するキャスタとから構成され、使用用途に応じて夫々分解可能に形成されることを特徴とする寝たきり防止用健康補助器具。
【手続補正２】
【補正対象書類名】明細書
【補正対象項目名】０００６
【補正方法】変更
【補正の内容】
【０００６】  本考案は、以上の目的を達成するために請求項１の考案は、任意の時間に自由歩行や食事や新聞等の読取やテレビ観賞も出来、自分で用便も出来、シャワーで身体を洗うこと等が可能であって結果として寝たきりにならない健康補助器具であって、該器具は後方が開口する略コ字状や半円状で分解可能な上枠と、該上枠と併設されて地面側に配設され略四角状で分解可能な下枠と、前記上枠と前記下枠との中間部を互いに連結する支え棒と、前記上枠の後端に分解可能に上基端部を連結し、前又は横方向に向かって略Ｌ字型に垂下される尻保持部と、前記下枠の両側面に被着され転倒防止用金具として使用され下面が地面に当接するキャスタとから構成され、使用用途に応じて夫々分解可能に形成されることを特徴とする。
【手続補正３】
【補正対象書類名】明細書
【補正対象項目名】００２６
【補正方法】変更
【補正の内容】
【００２６】１      上枠
２      下枠
３      段付き部
４      転倒防止用金具
５      キャスタ
６      支持棒
６ａ    摺動体
６ｂ    ガイド体
６ｃ    止め具
７      尻保持枠
８      人体
８ａ    尻部
９      尻保持板
１０    孔
１１    便器
１１ａ  穴
１２    保持板
１３    孔なし板
１００  寝たきり防止用健康補助器具